(57)【特許請求の範囲】
【請求項１】
表示パネルと、
前記表示パネルに対して設けられ、使用者の操作を受け付けるタッチパネルと、
予め定められた開始条件が満たされたとき、第１領域と第２領域を含む画面である項目選択画面の表示を前記表示パネルに開始させ、
前記第１領域に項目を選択するための項目選択キーを表示させ、
前記項目選択画面の表示を開始するとき、前記第２領域に前記項目のカテゴリーを選択するための通常ナビゲーション画像を表示させ、
前記通常ナビゲーション画像の表示開始から予め定められた待ち時間が経過したとき、前記通常ナビゲーション画像の内容の一部を省いて表示面積を減らした画像であって拡大キーを含む縮小ナビゲーション画像を前記通常ナビゲーション画像の代わりに表示する縮小表示を前記表示パネルに行わせ、
前記縮小表示中に前記タッチパネルの出力に基づき前記拡大キーへの操作を認識したとき前記第２領域での前記通常ナビゲーション画像の再表示を前記表示パネルに行わせ、
前記通常ナビゲーション画像の再表示開始から前記待ち時間が経過しても前記縮小表示を前記表示パネルに行わせず、
前記通常ナビゲーション画像の表示を前記表示パネルに継続させるパネル制御部と、を含むことを特徴とする表示入力装置。
【請求項２】
前記縮小表示をしないとき、
前記パネル制御部は、通常サイズのカテゴリー選択キーを含む前記通常ナビゲーション画像を前記表示パネルに表示させ、
前記縮小表示をするとき、
前記カテゴリー選択キーを前記カテゴリー選択キーよりも小さい縮小カテゴリー選択キーに置き換えることにより、前記パネル制御部は、前記通常ナビゲーション画像よりも小さくした前記縮小ナビゲーション画像を前記表示パネルに表示させ、
前記タッチパネルの出力に基づき前記カテゴリー選択キー又は前記縮小カテゴリー選択キーの操作によるカテゴリー選択を認識したとき、
前記パネル制御部は、前記第１領域内において、操作により選択されたカテゴリーに属する前記項目選択キーを前記表示パネルに表示させることを特徴とする請求項１に記載の表示入力装置。
【請求項３】
前記縮小表示をしないとき、
前記パネル制御部は、カテゴリーの種類を示すアイコン画像とカテゴリー名を横方向に並べた前記カテゴリー選択キーを前記表示パネルに表示させ、
前記縮小表示をするとき、
前記パネル制御部は、前記カテゴリー名を省略して前記カテゴリー選択キーよりも左右方向の幅を狭くした前記縮小カテゴリー選択キーを前記表示パネルに表示させることを特徴とする請求項２に記載の表示入力装置。
【請求項４】
前記項目選択画面の表示開始から前記待ち時間が経過したとき自動的な前記縮小表示を行う設定が予めなされている場合、
前記パネル制御部は、前記項目選択画面の表示開始から前記待ち時間が経過したとき前記縮小表示を前記表示パネルに行わせ、
前記項目選択画面の表示開始からの表示開始から前記待ち時間が経過したとき自動的な前記縮小表示を行わない設定が予めなされている場合、
前記パネル制御部は、前記項目選択画面の表示開始から前記待ち時間が経過しても前記通常ナビゲーション画像の表示を前記表示パネルに継続させることを特徴とする請求項１に記載の表示入力装置。
【請求項５】
前記通常ナビゲーション画像の再表示開始から前記待ち時間が経過したとき自動的な前記縮小表示を行う設定が予めなされている場合、
前記パネル制御部は、前記通常ナビゲーション画像の再表示から前記待ち時間が経過したとき前記縮小表示を前記表示パネルに行わせ、
前記通常ナビゲーション画像の再表示開始から前記待ち時間が経過したとき自動的な前記縮小表示を行わない設定が予めなされている場合、
前記パネル制御部は、前記通常ナビゲーション画像の再表示から前記待ち時間が経過しても前記縮小表示を前記表示パネルに行わせず、再表示された前記通常ナビゲーション画像の表示を前記表示パネルに継続させることを特徴とする請求項１乃至５の何れか１項に記載の表示入力装置。
【請求項６】
前記縮小表示中、前記パネル制御部は、前記第２領域内の領域であり、前記縮小表示の前に前記通常ナビゲーション画像が表示されていた領域であり、前記縮小表示によって空いた領域である第３領域において、現在設定されている設定値を示す設定情報を前記表示パネルに表示させることを特徴とする請求項１に記載の表示入力装置。
【請求項７】
前記設定情報の表示開始後、前記通常ナビゲーション画像の再表示がなされたとき、
前記パネル制御部は、前記第３領域に代えて前記第１領域において、前記設定情報を前記表示パネルに表示させることを特徴とする請求項６に記載の表示入力装置。
【請求項８】
前記第１領域に前記設定情報を表示するとき、前記パネル制御部は、透過する前記設定情報を前記表示パネルに表示させることを特徴とする請求項７に記載の表示入力装置。
【請求項９】
前記第１領域に前記設定情報を表示している状態で前記縮小表示が開始されたとき、
前記パネル制御部は前記第１領域の前記設定情報を消し、前記第３領域において前記設定情報を前記表示パネルに表示させることを特徴とする請求項７に記載の表示入力装置。
【請求項１０】
前記タッチパネルは、前記待ち時間の長さの設定を受け付け、
前記パネル制御部は、設定された時間を待ち時間と扱うことを特徴とする請求項１に記載の表示入力装置。
【請求項１１】
請求項１に記載の表示入力装置と、
前記表示入力装置の設定に応じた印刷を行う印刷部を含むことを特徴とする画像形成装置。
【請求項１２】
予め定められた開始条件が満たされたとき、第１領域と第２領域を含む画面である項目選択画面の表示を開始し、
前記第１領域に項目を選択するための項目選択キーを表示し、
前記項目選択画面の表示を開始するとき、前記第２領域に前記項目のカテゴリーを選択するための通常ナビゲーション画像を表示し、
前記通常ナビゲーション画像の表示開始から予め定められた待ち時間が経過したとき、前記通常ナビゲーション画像の内容の一部を省いて表示面積を減らした画像であって拡大キーを含む縮小ナビゲーション画像を前記通常ナビゲーション画像の代わりに表示する縮小表示を行い、
前記縮小表示中に前記拡大キーへの操作がなされたとき、前記第２領域での前記通常ナビゲーション画像を再表示し、
前記通常ナビゲーション画像の再表示開始から前記待ち時間が経過しても前記縮小表示を行わず、前記通常ナビゲーション画像の表示を前記表示パネルに継続させることを特徴とする表示入力装置の制御方法。
【発明の詳細な説明】
【技術分野】
【０００１】
本発明は、操作用画像を表示し、タッチパネルによって操作用画像への操作を認識し、使用者の操作を受け付ける表示入力装置、画像形成装置に関する。
【背景技術】
【０００２】
例えば、表示パネルとタッチパネルキーを設けた電子機器がある。表示パネルは、ボタンのような操作用画像を表示する。電子機器は操作用画像への操作を認識する。電子機器は操作された操作用画像に応じた動作を行う。画面内に多数の操作用画像を表示すると見づらい場合がある。見やすい画面にするため、操作用画像を意図的に表示しないようにすることがある。特許文献１には、必要な場合のみ操作ボタンを表示し、不必要と推測される操作ボタンを非表示とする電子機器（カーナビゲーション機器）の一例が記載されている。【０００３】
具体的に、特許文献１には、常時ボタンを表示する場合に比べ映像視聴に操作ボタンが支障とならないように、指又はタッチペンのような操作体の表示操作部への接近を近接センサが検出したとき操作ボタンを表示する電子機器が記載されている（特許文献１：段落［００１５］、［００１６］）。また、特許文献１には、一度使用されると、所定時間再検索されないと考えられるアイコン（例えば、休憩所の検索アイコン）を定める。このアイコンは、使用後、一定時間非表示とされる。表示アイコン数を減らして見やすくしようとする（特許文献１：段落［００１９］、［００２０］）。
【先行技術文献】
【特許文献】
【０００４】
【特許文献１】特開２０１６−１０９４３４号公報
【発明の概要】
【発明が解決しようとする課題】
【０００５】
表示パネルとタッチパネルを含む表示入力装置は、画像形成装置にも搭載されることがある。画像形成装置には、複合機、プリンター、複写機、ＦＡＸ装置などがある。画像形成装置の高機能化、多機能化が進められている。設定できる項目の数や設定値の種類が増加している。わかりやすい表示のため、不必要と考えられる画像や情報を自動的に非表示とすることが考えられる。【０００６】
例えば、表示入力装置で表示される設定用画面のうち、特定の画像については、全体表示から一定時間が経過したとき、使用者の確認が終わったとみなす。そして、一部又は全部の表示を簡略化とすることが考えられる。【０００７】
簡略化された画像の全体を再確認したいとき、使用者は画像全体を再表示させる操作を行う。これにより、自動的に簡略化された画像を再確認することができる。しかし、一定時間が経過したとき、全体が再表示された画像は、再び、自動的に簡略化される。使用者が意思を持って再表示させたのに、意思に沿わず、画像の簡略化が自動的になされる場合があるという問題がある。【０００８】
特許文献１記載の技術では、タッチペンや指が表示操作部に接近したときのみ操作用ボタンが表示される。そのため、指を離すとそのうち操作用ボタンが消える可能性がある。消えないならば、常時アイコンが多数表示され、見づらい場面が出てくる。従って、使用者が意思を持って表示させたのに、表示させた画像が自動的に非表示となる場合がある。上記の問題を解決することはできない。なお、使用により一定時間非表示とされた検索アイコンを再表示させるための操作は、特許文献１に記載されていない。【０００９】
本発明は、上記従来技術の問題点に鑑みてなされたものであり、使用者が意思を持って再表示させた画像を自動的に変更せず、使用者の意図を尊重する。
【課題を解決するための手段】
【００１０】
上記課題解決のため、請求項１に係る表示入力装置は、表示パネル、タッチパネル、パネル制御部を含む。前記表示パネルは、表示を行う。前記タッチパネルは、前記表示パネルに対して設けられ、使用者の操作を受け付ける。予め定められた開始条件が満たされたとき、前記パネル制御部は、第１領域と第２領域を含む画面である項目選択画面の表示を前記表示パネルに開始させる。前記パネル制御部は、前記第１領域に項目を選択するための項目選択キーを表示させる。前記項目選択画面の表示を開始するとき、前記パネル制御部は、前記第２領域に前記項目のカテゴリーを選択するための通常ナビゲーション画像を表示させる。前記通常ナビゲーション画像の表示開始から予め定められた待ち時間が経過したとき、前記パネル制御部は、前記通常ナビゲーション画像の内容の一部を省いて表示面積を減らした画像であって拡大キーを含む縮小ナビゲーション画像を前記通常ナビゲーション画像の代わりに表示する縮小表示を前記表示パネルに行わせる。前記縮小表示中に前記タッチパネルの出力に基づき前記拡大キーへの操作を認識したとき、前記パネル制御部は、前記第２領域での前記通常ナビゲーション画像の再表示を前記表示パネルに行わせる。前記パネル制御部は、前記通常ナビゲーション画像の再表示開始から前記待ち時間が経過しても前記縮小表示を前記表示パネルに行わせない。前記パネル制御部は、前記通常ナビゲーション画像の表示を前記表示パネルに継続させる。
【発明の効果】
【００１１】
本発明によれば、使用者が意思を持って再表示させた画像を自動的に変更しない表示入力装置を提供することができる。使用者の意図を尊重するので、使用者の意図しない表示が行われる。従って、使いやすく設定しやすい表示入力装置を提供することができる。
【図面の簡単な説明】
【００１２】
【図１】実施形態に係る複合機の一例を示す図である。
【図２】実施形態に係る操作パネルの一例を示す図である。
【図３】実施形態に係るホーム画面の一例を示す図である。
【図４】実施形態に係るコピー機能に関する項目選択画面の一例を示す図である。
【図５】実施形態に係る設定値設定画面の一例を示す図である。
【図６】選択カテゴリーに応じた項目選択キーの切り替えの一例を示す図である。
【図７】実施形態に係る通常ナビゲーション画像を縮小ナビゲーション画像に縮小した場合の変化の一例を示す図である。
【図８】実施形態に係る操作パネルで通常ナビゲーション画像を再表示した場合の変化の一例を示す図である。
【図９】実施形態に係る縮小表示設定画面の一例を示す図である。
【発明を実施するための形態】
【００１３】
以下、図１〜図９を用いて本発明の実施形態を説明する。以下の説明では、表示入力装置として、操作パネル１を例に挙げて説明する。表示入力装置を含む画像形成装置として、複合機１００を例に挙げて説明する。但し、本実施の形態に記載されている構成、配置等の各要素は、発明の範囲を限定するものではなく単なる説明例にすぎない。
【００１４】
（画像形成装置の概要）
まず、図１を用いて、実施形態に係る複合機１００の概要を説明する。複合機１００は、内部に制御部２を含む。制御部２は複合機１００の各部を制御する。制御部２は、ＣＰＵ２１、画像処理部２２、ＲＯＭ２３、ＲＡＭ２４を含む。ＣＰＵ２１は、各種演算や処理を行う。画像処理部２２は、画像データに対し画像処理を行って印刷や送信に用いる画像データを生成する。複合機１００はストレージ２５を含む。ストレージ２５はＨＤＤのような大容量の記憶装置である。ストレージ２５は制御部２と通信可能に接続される。複合機１００は、不揮発性の記憶装置（ＲＯＭ２３、ストレージ２５）と、揮発性の記憶装置（ＲＡＭ２４）を含む。ＣＰＵ２１は、ＲＯＭ２３やストレージ２５に記憶されたプログラムや制御用データに基づき、演算や処理を行って複合機１００の各部の制御を行う。
【００１５】
複合機１００は、原稿搬送部３ａと画像読取部３ｂを含む。制御部２は、セットされた原稿を１枚ずつ読み取り位置（送り読取用コンタクトガラス、不図示）に向けて連続的、自動的に原稿搬送部３ａに搬送させる。制御部２は、原稿搬送部３ａにより搬送される原稿や、載置読取用コンタクトガラス（不図示）にセットされた原稿を画像読取部３ｂに読み取らせる。画像読取部３ｂは原稿の画像データを生成する。
【００１６】
複合機１００の内部に印刷部４が設けられる。印刷部４は、給紙部４ａ、搬送部４ｂ、画像形成部４ｃ、定着部４ｄを含む。印刷部４は、操作パネル１（表示入力装置）での設定に応じた印刷を行う。印刷時、制御部２は、給紙部４ａに用紙を供給させる。制御部２は、給紙部４ａから送り出された用紙を搬送部４ｂに搬送させる。制御部２は、画像データに基づきトナー像を画像形成部４ｃに形成させる。制御部２は、搬送される用紙へのトナー像の転写を画像形成部４ｃに行わせる。制御部２は、トナー像が転写された用紙を定着部４ｄに加熱・加圧させる。これにより、用紙にトナー像が定着する。定着後の用紙は機外に排出される。
【００１７】
制御部２は、通信部２６と接続される。通信部２６は、通信網４００を介し、コンピューター２００やＦＡＸ装置３００と通信を行う基板（ネットワークインターフェイスカード）である。コンピューター２００は、例えば、ＰＣやサーバーである。通信部２６は、通信用のコネクターや通信制御用のチップを含む。制御部２は、通信部２６がコンピューター２００から受信した印刷用データ（画像データや印刷設定）に基づき印刷部４に印刷を行わせる（プリンター機能）。又、通信部２６は、画像データをコンピューター２００やＦＡＸ装置３００に送信できる（送信機能）。
【００１８】
（表示入力装置）
次に、図１、図２を用いて、実施形態に係る表示入力装置の一例を説明する。図１に示すように、複合機１００は、表示入力装置として、操作パネル１を含む。操作パネル１は、パネル制御部１０、表示パネル１１、タッチパネル１２、複数のハードキー１３を含む。表示パネル１１は、印刷やスキャンに関する設定画面や各種メッセージを表示する。タッチパネル１２は、表示パネル１１に対して設けられる。
【００１９】
図２に示すように、操作パネル１の上側に表示パネル１１が設けられる。表示パネル１１の上面にタッチパネル１２が設けられる。パネル制御部１０は、表示パネル１１と接続される。パネル制御部１０は表示パネル１１の表示を制御する。
【００２０】
パネル制御部１０は、タッチパネル１２と接続される。タッチパネル１２の出力に基づき、パネル制御部１０は、表示パネル１１（タッチパネル１２）のうちタッチされた位置（操作位置）を認識する。パネル制御部１０は、表示パネル１１に表示される操作用画像のうち、表示位置がタッチされたものを認識する。操作用画像は、例えば、ソフトキー、ボタン、タブ、チェックボックス、ラジオボタンである。これにより、パネル制御部１０は、使用者の操作内容を認識する。パネル制御部１０は、操作された操作用画像に応じた画面を表示パネル１１に表示させる。
【００２１】
複数のハードキー１３が操作パネル１の下側に設けられる。各ハードキー１３はパネル制御部１０と接続される。例えば、ハードキー１３として、スタートキー１３ａや、テンキー部１３ｂが設けられる。スタートキー１３ａはジョブの実行開始を指示するためのキーである。テンキー部１３ｂは部数や番号、数字を入力するためのキーである。パネル制御部１０は操作されたハードキー１３を認識する。パネル制御部１０はハードキー１３による使用者の操作内容を認識する。また、パネル制御部１０は、操作されたハードキー１３に応じた画面を表示パネル１１に表示させる。
【００２２】
パネル制御部１０は、使用者の操作内容（設定内容）を制御部２に通知する。言い換えると、操作パネル１は使用者による設定操作を受け付ける。設定操作は、例えば、ジョブに関する設定値の設定である。操作パネル１の通知に基づき、制御部２は設定内容を認識する。制御部２は、設定に一致する結果が得られるように印刷部４などを動作させる。
【００２３】
複合機１００の制御部２が、パネル制御部１０の代わりに表示パネル１１の表示制御を行ってもよい。また、制御部２が、タッチパネル１２の出力に基づき操作内容を認識してもよい。また、制御部２が、ハードキー１３による使用者の操作内容を認識してもよい。この場合、パネル制御部１０を設けず、表示パネル１１、タッチパネル１２、各ハードキー１３が制御部２と電気的に接続される。
【００２４】
（操作パネル１での画面表示）
次に、図３〜図６を用いて、実施形態に係る操作パネル１での画面表示の一例を説明する。図３に示すホーム画面Ｓ１は、階層上、最上位の画面である。主電源投入により複合機１００（操作パネル１）が起動したとき、パネル制御部１０はホーム画面Ｓ１を表示パネル１１に表示させる。また、表示パネル１１が消灯する省電力モードが解除されたとき（通常モードへの復帰がなされたとき）、ジョブが完了したとき、ある操作後に操作がなされないまま予め定められたオートリセット時間が経過したとき、パネル制御部１０は、ホーム画面Ｓ１を表示パネル１１に表示させる。
【００２５】
ホーム画面Ｓ１内において、パネル制御部１０は、機能選択キーＫ１を表示パネル１１に表示させる。機能選択キーＫ１は、複合機１００で利用する機能（実行するジョブの種類）を選択するためのキーである。図３の例では、パネル制御部１０は、８つの機能選択キーＫ１を表示パネル１１に表示させる。
【００２６】
複合機１００（操作パネル１）では、コピー機能、スキャン送信機能、ＦＡＸ送信機能、ボックス保存機能のような機能（ジョブ）を利用できる。操作パネル１は、機能選択キーＫ１への操作を、機能（ジョブの種類）を選択する操作として受け付ける。パネル制御部１０は、機能選択キーＫ１への操作により選択された機能の項目選択画面Ｓ２を表示パネル１１に表示させる。
【００２７】
図４はコピー機能の項目選択画面Ｓ２の一例を示す。コピー機能の項目選択画面Ｓ２は、コピーの機能選択キーＫ１を操作したときに表示される。コピー機能の項目選択画面Ｓ２は、ホーム画面Ｓ１の１つ下の階層にあたる。尚、コピー以外の他の機能（例えば、スキャン送信、ＦＡＸ送信、ボックス保存）にも、それぞれ項目選択画面Ｓ２が用意される。コピー以外の機能の項目選択画面Ｓ２の説明は割愛する。
【００２８】
項目選択画面Ｓ２には、第１領域Ｆ１と第２領域Ｆ２が設けられる。第１領域Ｆ１と第２領域Ｆ２は重ならない。言い換えると、表示パネル１１の画面のうち、第２領域Ｆ２は第１領域Ｆ１以外の領域である。パネル制御部１０は、項目選択画面Ｓ２において、第１領域Ｆ１と第２領域Ｆ２を表示パネル１１に表示させる（他の機能の項目選択画面Ｓ２でも同様）。
【００２９】
図４に示すように、項目選択画面Ｓ２の最も上の部分に上部バーＢ１が配される。項目選択画面Ｓ２の最も下の部分に下部バーＢ２が配される。上部バーＢ１と下部バーＢ２以外の領域のうち、右側が第１領域Ｆ１に割り当てられる。左側が第２領域Ｆ２に割り当てられる。つまり、第１領域Ｆ１と第２領域Ｆ２は、高さは同じで左右方向に並べられる。
【００３０】
パネル制御部１０は、項目を選択するための項目選択キーＫ２を第１領域Ｆ１に表示させる。項目選択キーＫ２は、選択した機能を利用するうえで設定できる項目を選ぶためのキーである。図４は、コピー機能に関する複数の項目（原稿サイズ、縮小／拡大、用紙選択、両面／分割、ページ集約、部数）の項目選択キーＫ２を第１領域Ｆ１に表示した状態を示す。なお、各項目選択キーＫ２の上側に、現在の設定値を表示する設定値表示欄Ｌ１が設けられる。
【００３１】
パネル制御部１０は、第２領域Ｆ２には、ナビゲーション画像５を表示させる。第１領域Ｆ１に表示する項目選択キーＫ２の個数には限界がある。全ての項目選択キーＫ２を第１領域Ｆ１に表示させることはできない。ナビゲーション画像５は、第１領域Ｆ１に所望の項目選択キーＫ２を表示させるための画像である。ナビゲーション画像５への操作により、表示される項目選択キーＫ２が切り替えられる。ナビゲーション画像５には、通常サイズの通常ナビゲーション画像６と、縮小ナビゲーション画像７がある。縮小ナビゲーション画像７は、通常ナビゲーション画像６を縮小した画像である（詳細は後述）。
【００３２】
使用者は設定する項目を選択できる。具体的に、使用者は第１領域Ｆ１の項目選択キーＫ２を操作する。パネル制御部１０は、操作された項目選択キーＫ２に対応する設定値設定画面Ｓ３を表示パネル１１に表示させる（切り替えさせる）。図５は、設定値設定画面Ｓ３の一例を示す。図５は、ページ集約の項目に対応する設定値設定画面Ｓ３の一例を示す。
【００３３】
設定値設定画面Ｓ３には、各種設定値に対応したソフトキーが設けられる。使用者は選択した項目の設定値を設定できる。具体的に、使用者は設定値設定画面Ｓ３に配されたソフトキーを操作する。図５は、ページ集約の項目に関し、２ｉｎ１、境界線なし、原稿の上辺を上向き（原稿のセット向き）、左から右（ページの並べ方）の設定値が設定されている状態を示す。設定値の設定完了に伴ってＯＫキーＫ３が操作される。設定のキャンセルに伴いキャンセルキーＫ４が操作される。ＯＫキーＫ３又はキャンセルキーＫ４が操作されたとき、パネル制御部１０は、設定値設定画面Ｓ３の表示を終了する。表示される画面は、項目選択画面Ｓ２に戻る。
【００３４】
項目選択画面Ｓ２の表示を開始するとき、パネル制御部１０は、通常ナビゲーション画像６（縮小していない画像）を第２領域Ｆ２に表示させる。通常ナビゲーション画像６は、項目のカテゴリーを選択するためのカテゴリー選択キーＫ５を複数含む。図４は、カテゴリーとして、基本設定、用紙／原稿／仕上げ、カラー、画質、レイアウト／編集、応用／その他のカテゴリーを設ける例を示している。また、図４に示す通常ナビゲーション画像６は、複数のカテゴリー選択キーＫ５を上下方向に並べた（組み合わせた）ものである。なお、カテゴリー数は、図４の例よりも多くてもよいし、少なくてもよい。また、カテゴリーの名称は一例にすぎず、他のカテゴリー名を用いてもよい。
【００３５】
選択したジョブで設定可能な項目は複数ある（コピー機能だけでも数十以上）。各項目は、何れかのカテゴリーに割り振られる。１つの項目は、少なくとも１つのカテゴリーに属する。基本設定のカテゴリーには、経験的、統計的によく設定される（用いられる）項目が属する。図４は、基本設定のカテゴリーが選択されている状態の一例を示す。基本設定のカテゴリーには、原稿サイズ、縮小／拡大、用紙選択、両面／分割、ページ集約、部数の項目が割り当てられている。
【００３６】
なお、コピーの機能選択キーＫ１の操作により、コピー機能の項目選択画面Ｓ２の表示を開始するとき、パネル制御部１０は、最初に、基本設定のカテゴリーが選択された状態で表示させる。また、設定値設定画面Ｓ３での設定完了により項目選択画面Ｓ２に戻るとき、パネル制御部１０は、設定値設定画面Ｓ３への遷移前に選択されていたカテゴリーに属する項目選択キーＫ２を第１領域Ｆ１に表示させる。
【００３７】
用紙／原稿／仕上げのカテゴリーには、用紙、原稿、仕上げに関する項目が割り当てられる。例えば、原稿サイズ、用紙サイズ、排出先の項目が割り当てられる。カラーのカテゴリーには、印刷に用いる色に関する項目が割り当てられる。画質のカテゴリーには、印刷物の画質に関する項目が割り当てられる。例えば、読み取り解像度、印刷解像度、印刷濃度の項目が割り当てられる。レイアウト／編集には、ページ配置や加工に関する項目が割り当てられる。例えば、ページ集約、片面／両面印刷の項目が割り当てられる。応用／その他のカテゴリーには、上述のカテゴリーに属さない項目が割り当てられる。例えば、例えば、原稿連続読み込み、鏡像印刷の項目が割り当てられる。
【００３８】
カテゴリーを選択するとき、使用者は、通常ナビゲーション画像６内のカテゴリー選択キーＫ５を操作する。タッチパネル１２の出力に基づきカテゴリーの選択を認識したとき、パネル制御部１０は、操作により選択されたカテゴリーに対応する（割り当てられた）項目選択キーＫ２を第１領域Ｆ１に表示させる。パネル制御部１０は、操作により選択されたカテゴリーに属する項目選択キーＫ２を表示パネル１１に表示させる。
【００３９】
図６は、原稿／用紙／仕上げのカテゴリー選択キーＫ５が操作されたときに表示される項目選択画面Ｓ２の一例を示す。タッチパネル１２の出力に基づき原稿／用紙／仕上げのカテゴリーの選択を認識したとき、パネル制御部１０は、原稿／用紙／仕上げのカテゴリーに属する項目の項目選択キーＫ２を第１領域Ｆ１に表示させる。図４と図６を比較すればわかるように、カテゴリー選択により、パネル制御部１０は、第１領域Ｆ１に表示する項目選択キーＫ２を表示パネル１１に変えさせる。
【００４０】
（通常ナビゲーション画像６の縮小表示）
次に、図７〜図９を用いて、実施形態に係る操作パネル１での通常ナビゲーション画像６の縮小表示の一例を説明する。
【００４１】
予め定められた開始条件が満たされたとき、パネル制御部１０は、第１領域Ｆ１と第２領域Ｆ２を含む項目選択画面Ｓ２の表示を表示パネル１１に開始させる。例えば、予め定められた開始条件は、ホーム画面Ｓ１での機能選択キーＫ１の操作である。
【００４２】
図３に示すように、項目選択画面Ｓ２の表示を開始するとき、パネル制御部１０は、通常ナビゲーション画像６を第２領域Ｆ２に表示させる。通常ナビゲーション画像６は縮小されていない（通常サイズである）。通常ナビゲーション画像６を縮小表示する（おりたたむ）ことができる。通常ナビゲーション画像６を縮小した（折りたたんだ、横幅を狭くした）画像を以下、縮小ナビゲーション画像７と称する。
【００４３】
ナビゲーション画像５の縮小表示をしないとき、パネル制御部１０は、通常ナビゲーション画像６を表示パネル１１に表示させる。通常ナビゲーション画像６はカテゴリー選択キーＫ５を含む。図７の上側の図と図８の下側の図に示すように、通常ナビゲーション画像６は、複数のカテゴリー選択キーＫ５と１つのおりたたみキーＫ６を含む。おりたたみキーＫ６は、通常ナビゲーション画像６を縮小ナビゲーション画像７に縮小するためのキーである。通常ナビゲーション画像６はおりたたみキーＫ６と、複数のカテゴリー選択キーＫ５を上下方向に並べた（組み合わせた）画像である。通常ナビゲーション画像６の最下段におりたたみキーＫ６が配される。複数のカテゴリー選択キーＫ５は、おりたたみキーＫ６の上側に並べられる。おりたたみキーＫ６の横幅と、各カテゴリー選択キーＫ５の横幅は同じである。通常ナビゲーション画像６では、各キーの左右の両端の位置が揃えられる。このように、通常ナビゲーション画像６は、矩形のブロック画像である。このブロック画像はカテゴリー選択キーＫ５とおりたたみキーＫ６を含む。
【００４４】
縮小ナビゲーション画像７の一例を図７の下側の図と図８の上側の図に示す。縮小ナビゲーション画像７は、縮小表示中に第２領域Ｆ２に表示される画像である。縮小ナビゲーション画像７は、通常ナビゲーション画像６の内容の一部を省いた画像である。つまり、縮小ナビゲーション画像７は、通常ナビゲーション画像６の表示面積を減らした画像である。縮小ナビゲーション画像７は拡大キーＫ８を含む。拡大キーＫ８は、縮小ナビゲーション画像７を通常ナビゲーション画像６に開ける（戻す）ためのキーである。
【００４５】
縮小ナビゲーション画像７も矩形の画像である。縮小ナビゲーション画像７は複数のキーを上下方向に並べて組み合わせた画像である。縮小ナビゲーション画像７は、１つの拡大キーＫ８と、複数の縮小カテゴリー選択キーＫ７を含む。縮小表示をするとき、パネル制御部１０は、縮小カテゴリー選択キーＫ７を含む縮小ナビゲーション画像７を表示パネル１１に表示させる。各縮小カテゴリー選択キーＫ７の横幅と拡大キーＫ８の横幅は、同じである。縮小ナビゲーション画像７の最下段に、拡大キーＫ８が配される。複数の縮小カテゴリー選択キーＫ７は、拡大キーＫ８の上側に並べて配される。縮小ナビゲーション画像７では、含まれる各キーの左右の両端の位置が揃えられる。縮小ナビゲーション画像７は矩形のブロック画像である。このブロック画像内に縮小カテゴリー選択キーＫ７と拡大キーＫ８含まれる。
【００４６】
縮小ナビゲーション画像７においては、パネル制御部１０は、カテゴリー選択キーＫ５を縮小カテゴリー選択キーＫ７に置き換える。縮小カテゴリー選択キーＫ７は、カテゴリー選択キーＫ５よりも小さい。また、パネル制御部１０は、おりたたみキーＫ６を拡大キーＫ８に置き換える。拡大キーＫ８は、おりたたみキーＫ６よりも小さい。これにより、縮小ナビゲーション画像７は通常ナビゲーション画像６よりも小さくなる。
【００４７】
具体的に、縮小表示をしないとき（通常ナビゲーション画像６のとき）、パネル制御部１０はカテゴリー選択キーＫ５を表示パネル１１に表示させる。カテゴリー選択キーＫ５内に、アイコン画像とカテゴリー名が横方向に並べられる。縮小表示のとき、縮小カテゴリー選択キーＫ７を表示パネル１１に表示させる。縮小カテゴリー選択キーＫ７は、カテゴリー名を省略し、カテゴリー選択キーＫ５よりも左右方向の幅を狭くしたキーである。縮小カテゴリー選択キーＫ７の横幅は、カテゴリー選択キーＫ５よりも狭い。拡大キーＫ８の横幅は、おりたたみキーＫ６よりも狭い。一方で、おりたたみキーＫ６、各カテゴリー選択キーＫ５、拡大キーＫ８、各縮小カテゴリー選択キーＫ７は、上下方向のサイズが同じである。また、左端の位置が一致する。これにより、通常ナビゲーション画像６を縮小ナビゲーション画像７にしたとき、通常ナビゲーション画像６は、おりたたまれた（収納された）ように見える。
【００４８】
カテゴリー選択キーＫ５と縮小カテゴリー選択キーＫ７の何れを操作しても、カテゴリーを選択することができる。パネル制御部１０は、タッチパネル１２の出力に基づきカテゴリー選択キーＫ５又は縮小カテゴリー選択キーＫ７の操作を認識する。キーへの操作により、カテゴリー選択を認識したとき、パネル制御部１０は、第１領域Ｆ１内に選択操作されたカテゴリーに属する項目選択キーＫ２を表示させる。
【００４９】
使用者はおりたたみキーＫ６を操作することにより、通常ナビゲーション画像６から縮小ナビゲーション画像７への縮小を行うことができる（縮小表示）。また、縮小表示中にタッチパネル１２の出力に基づき拡大キーＫ８への操作を認識したとき、パネル制御部１０は、通常ナビゲーション画像６を表示パネル１１に再表示させる。この場合、パネル制御部１０は、縮小カテゴリー選択キーＫ７に代えてカテゴリー選択キーＫ５を表示させる。また、パネル制御部１０は、拡大キーＫ８に代えておりたたみキーＫ６を表示パネル１１に表示させる。
【００５０】
また、自動的に通常ナビゲーション画像６から縮小ナビゲーション画像７に縮小する設定を行うことができる。この設定は、縮小表示設定画面Ｓ４で行うことができる。縮小表示設定画面Ｓ４を表示させるための所定の操作がなされたとき、パネル制御部１０は、縮小表示設定画面Ｓ４を表示パネル１１に表示させる。
【００５１】
縮小表示設定画面Ｓ４には、第１縮小実行キーＫ９、第１縮小不実行キーＫ１０、第２縮小実行キーＫ１１、第２縮小不実行キーＫ１２、プラスキーＫ１３、マイナスキーＫ１４が配される。
【００５２】
操作パネル１では、項目選択画面Ｓ２の表示を開始するとき、パネル制御部１０は、第２領域Ｆ２に通常ナビゲーション画像６を表示パネル１１に表示させる。自動的な縮小ナビゲーション画像７への縮小（幅狭化）をしたいとき、使用者は、第１縮小実行キーＫ９を操作する。第１縮小実行キーＫ９が操作されている場合、通常ナビゲーション画像６の表示開始から予め定められた待ち時間が経過したとき、パネル制御部１０は、通常ナビゲーション画像６の代わりに縮小ナビゲーション画像７を表示させる。つまり、自動的な縮小表示を行う設定が予めなされている場合、最初の通常ナビゲーション画像６の表示開始（開始条件が満たされたとき）から待ち時間が経過したとき、パネル制御部１０は、縮小表示を表示パネル１１に行わせる。
【００５３】
自動的な縮小ナビゲーション画像７への縮小（幅狭化）をしないとき、使用者は、第１縮小不実行キーＫ１０を操作する。第１縮小不実行キーＫ１０が操作されている場合、パネル制御部１０は、縮小ナビゲーション画像７への切り替えを表示パネル１１に一切行わせない。つまり、第１縮小不実行実行キーＫ１０が操作されている場合、通常ナビゲーション画像６の表示開始（開始条件が満たされたとき）から待ち時間が経過しても、パネル制御部１０は、通常ナビゲーション画像６の表示を継続させる。
【００５４】
また、縮小表示設定画面Ｓ４では、再表示させた通常ナビゲーション画像６を自動的に縮小するか否かを設定することができる。再表示とは、通常ナビゲーション画像６から縮小ナビゲーション画像７への自動的な変更後、使用者が拡大キーＫ８によって通常ナビゲーション画像６を表示させることである。
【００５５】
再表示させた（拡大キーＫ８を操作した）通常ナビゲーション画像６の自動的な縮小を希望するとき、使用者は、第２縮小実行キーＫ１１を操作する。第２縮小実行キーＫ１１が操作されている場合、通常ナビゲーション画像６の再表示の開始から（拡大キーＫ８の操作から）待ち時間が経過したとき、パネル制御部１０は、縮小ナビゲーション画像７への切り替えを表示パネル１１に行わせる。つまり、再表示開始後、自動的な縮小表示を行う設定が予めなされている場合、パネル制御部１０は、通常ナビゲーション画像６の再表示から待ち時間が経過したとき縮小表示を表示パネル１１に行わせる。
【００５６】
再表示させた通常ナビゲーション画像６の自動的な縮小をしないとき、使用者は、第２縮小不実行キーＫ１２を操作する。第２縮小不実行キーＫ１２が操作されている場合、通常ナビゲーション画像６の再表示の開始から（拡大キーＫ８の操作から）待ち時間が経過しても、パネル制御部１０は、縮小ナビゲーション画像７への切り替えを表示パネル１１に行わせない。つまり、再表示開始後、自動的な縮小表示を行わない設定が予めなされている場合、通常ナビゲーション画像６の再表示から待ち時間が経過しても、パネル制御部１０は、縮小表示を表示パネル１１に行わせない。パネル制御部１０は、再表示された通常ナビゲーション画像６の表示を表示パネル１１に継続させる。
【００５７】
また、縮小表示設定画面Ｓ４において、タッチパネル１２は、待ち時間の長さの設定を受け付ける。パネル制御部１０は、設定された時間を待ち時間と扱う。プラスキーＫ１３とマイナスキーＫ１４により長さを設定することができる。待ち時間を長くしたい使用者はプラスキーＫ１３を操作する。待ち時間を短くしたい使用者はマイナスキーＫ１４を操作する。なお、待ち時間をゼロにすることにより、通常ナビゲーション画像６を表示せず、縮小ナビゲーション画像７のみを表示させることもできる。
【００５８】
エンドキーＫ１５により、縮小表示設定画面Ｓ４での設定が完了する。縮小表示設定画面Ｓ４での設定内容（操作されたキーや設定された待ち時間を示すデータ）は、ＲＯＭ２３、ストレージ２５、又は、操作パネル１内の不揮発メモリーに記憶される。
【００５９】
（縮小表示中の設定情報ｉ１の表示）
次に、図７、図８を用いて、実施形態に係る操作パネル１での縮小表示中の設定情報ｉ１の表示の一例を説明する。縮小表示を行うことによって、第２領域Ｆ２に空きスペースができる。縮小表示が開始されたとき、パネル制御部１０は、縮小表示によってできたスペースに設定情報ｉ１を表示させる。
【００６０】
設定情報ｉ１の一例を図７の下方の図や、図８の上方の図に示す。縮小表示中、パネル制御部１０は、第３領域Ｆ３において、設定情報ｉ１を表示パネル１１に表示させる。第３領域Ｆ３は、第２領域Ｆ２内の領域である。第３領域Ｆ３は縮小表示前に通常ナビゲーション画像６が表示されていた領域である。第３領域Ｆ３は縮小表示によって空いた領域である。設定情報ｉ１は、現在設定されている設定値を示す。図７、図８の設定情報ｉ１は矩形で囲まれる。矩形内に現在の設定値を示す文字列が含まれる。
【００６１】
パネル制御部１０は、デフォルトの設定値（初期設定値）から使用者の操作により変更された設定値を設定情報ｉ１として表示パネル１１に表示させる。デフォルトの設定値からの変更がない場合、パネル制御部１０は、デフォルトの設定値から変更なしのメッセージを表示パネル１１に表示させてもよい。あるいは、パネル制御部１０は、基本設定のカテゴリーに含まれる項目のデフォルト設定値を設定情報ｉ１として表示させてもよい。
【００６２】
図８の下方の図に示すように、拡大キーＫ８によって通常ナビゲーション画像６が再表示されたとき、第３領域Ｆ３は無くなる。いったん表示された情報を消すことに不満を感じる使用者がいることが考えられる。そこで、第３領域Ｆ３への設定情報ｉ１の表示開始後、通常ナビゲーション画像６の再表示がなされたとき、パネル制御部１０は、第１領域Ｆ１に設定情報ｉ１を表示させる。設定情報ｉ１は、第３領域Ｆ３に代えて、第１領域Ｆ１に表示される。
【００６３】
第１領域Ｆ１に設定情報ｉ１を表示するとき、パネル制御部１０は、透過する設定情報ｉ１を表示パネル１１に表示させる。これにより、設定情報ｉ１を第１領域Ｆ１に表示させても項目選択キーＫ２が見えづらくならない。例えば、透過率は、３０〜７０％、より好ましくは、５０％程度にすることができる。
【００６４】
また、タッチパネル１２を操作して第１領域Ｆ１に表示された設定情報ｉ１を移動させることができる。どのような操作を設定情報ｉ１の移動操作と扱うかは適宜定めることができる。例えば、ドラッグ操作がなされたとき、パネル制御部１０は、第１領域Ｆ１内の設定情報ｉ１の表示位置を移動させる。ドラッグ操作は、設定情報ｉ１の表示位置をタッチしたままタッチ位置を移動させる操作である。
【００６５】
さらに、第１領域Ｆ１に設定情報ｉ１が表示されている状態で、おりたたみキーＫ６の操作や自動的な縮小表示がなされる場合がある。このように、通常ナビゲーション画像６が縮小ナビゲーション画像７に切り替えられたとき、パネル制御部１０は、第１領域Ｆ１の設定情報ｉ１を消す。そして、パネル制御部１０は、再び現れた第３領域Ｆ３に設定情報ｉ１を表示させる（図８の下側の図から図８の上側の図に戻る）。
【００６６】
このようにして、実施形態に係る表示入力装置（操作パネル１）は、表示パネル１１、タッチパネル１２、パネル制御部１０を含む。表示パネル１１は、表示を行う。タッチパネル１２は、表示パネル１１に対して設けられ、使用者の操作を受け付ける。予め定められた開始条件が満たされたとき、パネル制御部１０は、第１領域Ｆ１と第２領域Ｆ２を含む画面である項目選択画面Ｓ２の表示を表示パネル１１に開始させる。パネル制御部１０は、第１領域Ｆ１に項目を選択するための項目選択キーＫ２を表示させる。項目選択画面Ｓ２の表示を開始するとき、パネル制御部１０は、第２領域Ｆ２に項目のカテゴリーを選択するための通常ナビゲーション画像６を表示させる。通常ナビゲーション画像６の表示開始から予め定められた待ち時間が経過したとき、パネル制御部１０は、縮小ナビゲーション画像７を通常ナビゲーション画像６の代わりに表示する縮小表示を表示パネル１１に行わせる。縮小ナビゲーション画像７は、拡大キーＫ８を含み、通常ナビゲーション画像６の内容の一部を省いて表示面積を減らした画像である。縮小表示中にタッチパネル１２の出力に基づき拡大キーＫ８への操作を認識したとき、パネル制御部１０は、第２領域Ｆ２での通常ナビゲーション画像６の再表示を表示パネル１１に行わせる。パネル制御部１０は、通常ナビゲーション画像６の再表示開始から待ち時間が経過しても縮小表示を表示パネル１１に行わせない。パネル制御部１０は、通常ナビゲーション画像６の表示を表示パネル１１に継続させる。
【００６７】
これにより、大きく表示する（全体を再表示する）という使用者の意図、操作に基づき拡大表示されたナビゲーション画像５を、大きい状態のままで表示させ続けることができる。一定時間経過しても小さくせず、通常ナビゲーション画像６のままとすることができる。従って、再表示したいという使用者の意図を尊重した表示を行うことができる。また、使用者の意図に反する（予想外の）表示は行われなくなる。
【００６８】
また、パネル制御部１０は、縮小表示をしないとき、通常サイズのカテゴリー選択キーＫ５を含む通常ナビゲーション画像６を表示パネル１１に表示させる。縮小表示をするとき、パネル制御部１０は、カテゴリー選択キーＫ５を、カテゴリー選択キーＫ５よりも小さい縮小カテゴリー選択キーＫ７に置き換える。これにより、パネル制御部１０は、通常ナビゲーション画像６よりも小さい縮小ナビゲーション画像７を表示パネル１１に表示させる。タッチパネル１２の出力に基づきカテゴリー選択キーＫ５又は縮小カテゴリー選択キーＫ７の操作によるカテゴリー選択を認識したとき、パネル制御部１０は、第１領域Ｆ１内において、操作により選択されたカテゴリーに属する項目選択キーＫ２を表示パネル１１に表示させる。これにより、通常ナビゲーション画像６（グローバルナビゲーション）を第２領域Ｆ２に表示することができる。通常ナビゲーション画像６は所望の項目選択キーＫ２が第１領域Ｆ１に表示されるように案内する。また、通常ナビゲーション画像６を縮小ナビゲーション画像７に小さく畳むことができる。そのため、画面内の領域を有効活用することができる。さらに、各ナビゲーション内の画像を操作することにより、設定したい項目に対応する項目選択キーＫ２を第１領域Ｆ１に表示させることができる。
【００６９】
また、縮小表示をしないとき、パネル制御部１０はカテゴリーの種類を示すアイコン画像とカテゴリー名を横方向に並べたカテゴリー選択キーＫ５を表示パネル１１に表示させる。縮小表示をするとき、パネル制御部１０は、カテゴリー名を省略してカテゴリー選択キーＫ５よりも左右方向の幅を狭くした縮小カテゴリー選択キーＫ７を表示パネル１１に表示させる。これにより、縮小ナビゲーション画像７の幅を通常ナビゲーション画像６よりも短くすることができる。また、通常ナビゲーション画像６をたたんだ画像を縮小ナビゲーション画像７とすることができる。縮小ナビゲーション画像７を通常ナビゲーション画像６よりもずっと小さくすることができる。また、カテゴリーを選択するための画像は全て消されない。カテゴリーを選べるようにアイコン画像を縮小ナビゲーション画像７として残す。これにより、使用者はアイコン画像に基づき所望のカテゴリーを選択できる。
【００７０】
また、項目選択画面Ｓ２の表示開始から待ち時間が経過したとき自動的な縮小表示を行う設定が予めなされている場合、パネル制御部１０は、項目選択画面Ｓ２の表示開始から待ち時間が経過したとき縮小表示を表示パネル１１に行わせる。項目選択画面Ｓ２の表示開始からの表示開始から待ち時間が経過したとき自動的な縮小表示を行わない設定が予めなされている場合、パネル制御部１０は、項目選択画面Ｓ２の表示開始から待ち時間が経過しても通常ナビゲーション画像６の表示を表示パネル１１に継続させる。これにより、最初の通常ナビゲーション画像６の表示開始から待ち時間経過時に自動的に縮小表示を行うか否かを設定することができる。通常ナビゲーション画像６を表示したままにしたい使用者は、自動的な縮小表示を行わない設定とすればよい。また、縮小表示をしたい使用者は、自動的な縮小表示を行う設定とすればよい。従って、使用者の希望に沿った表示を行うことができる。
【００７１】
また、通常ナビゲーション画像６の再表示開始から待ち時間が経過したとき自動的な縮小表示を行う設定が予めなされている場合、通常ナビゲーション画像６の再表示から待ち時間が経過したとき、パネル制御部１０は、縮小表示を表示パネル１１に行わせる。通常ナビゲーション画像６の再表示開始から待ち時間が経過したとき自動的な縮小表示を行わない設定が予めなされている場合、通常ナビゲーション画像６の再表示から待ち時間が経過しても、パネル制御部１０は、縮小表示を表示パネル１１に行わせない。パネル制御部１０は、再表示された通常ナビゲーション画像６の表示を表示パネル１１に継続させる。
【００７２】
これにより、通常ナビゲーション画像６の再表示後、縮小表示を行うか否かを設定することができる。言い換えると、再表示した通常ナビゲーション画像６の自動縮小を行うか否かを設定することができる。従って、使用者の希望に沿った表示を行うことができる。
【００７３】
また、縮小表示中、パネル制御部１０は、第２領域Ｆ２内の領域であり、縮小表示の前に通常ナビゲーション画像６が表示されていた領域であり、縮小表示によって空いた領域である第３領域Ｆ３に現在設定されている設定値を示す設定情報ｉ１を表示パネル１１に表示させる。これにより、設定に役立つ情報を縮小表示によって生まれた（空いた）スペースに表示することができる。
【００７４】
また、設定情報ｉ１の表示開始後、通常ナビゲーション画像６の再表示がなされたとき、パネル制御部１０は、第３領域Ｆ３の代わりに第１領域Ｆ１に設定情報ｉ１を表示させる。これにより、いったん表示した設定情報ｉ１を消さずに表示し続けることができる。一度表示された情報が消えるという不快感を使用者に与えない。
【００７５】
また、第１領域Ｆ１に設定情報ｉ１を表示するとき、パネル制御部１０は、透過する設定情報ｉ１を表示パネル１１に表示させる。これにより、設定情報ｉ１によって、第１領域Ｆ１に表示される画像が見えにくくならない。
【００７６】
また、設定情報ｉ１を第１領域Ｆ１に表示している状態で縮小表示が開始されたとき、パネル制御部１０は、第１領域Ｆ１の設定情報ｉ１を消す。パネル制御部１０は、設定情報ｉ１を第３領域Ｆ３に表示させる。これにより、縮小表示を再開したとき、設定情報ｉ１の表示位置を元の第３領域Ｆ３に戻すことができる。これにより、第１領域Ｆ１を見やすくすることができる。一度表示した設定情報ｉ１を表示させ続けることができる。
【００７７】
タッチパネル１２は、待ち時間の長さの設定を受け付ける。パネル制御部１０は、設定された時間を待ち時間と扱う。使用者は自由に待ち時間の長さを設定することができる。
【００７８】
また、複合機１００（画像形成装置）は、上述の表示入力装置（操作パネル１）と、表示入力装置の設定に応じた印刷を行う印刷部４を含む。使用者の意図を尊重する表示入力装置を含むので、使いやすく設定しやすい画像形成装置を提供することができる。
【００７９】
本発明の実施形態を説明したが、本発明の範囲はこれに限定されるものではなく、発明の主旨を逸脱しない範囲で種々の変更を加えて実施することができる。
【産業上の利用可能性】
【００８０】
本発明は、操作パネルのような表示入力装置と、表示入力装置を含む画像形成装置に使用可能である。
【図１】
0006662457.tif 000002
【図２】
0006662457.tif 000003
【図３】
0006662457.tif 000004
【図４】
0006662457.tif 000005
【図５】
0006662457.tif 000006
【図６】
0006662457.tif 000007
【図７】
0006662457.tif 000008
【図８】
0006662457.tif 000009
【図９】
0006662457.tif 000010